(57)【要約】【課題】      筆記用具としても使用可能なペン型携帯用電話機を提供すると共に、その表面を有効に活用することができるようにする。【解決手段】    筒状の筐体１を筆記用具として使用するときに使用者によって持たれるグリップ部１ａを除いた場所に、筒状の筐体１の長手方向に操作キーを一列に配置したキーボード部９を設けることにより、キーボード部９の操作キーの面積を大きくすることができるようにすると共に、操作キーを一列に配置することで表示部３のためにも大きなスペースを確保できるようにする。【選択図】      図１
2005102149.tif 000002
【特許請求の範囲】
【請求項１】
筒状の筐体の一端に設けられ、先端に筆記部材を備えたペン先部と、
前記筒状の筐体の前記ペン先部側に設けられ、筆記用具として使用するときに使用者によって持たれるグリップ部と、
前記筒状の筐体の前記ペン先部及び前記グリップ部を除いた表面長手方向に、数字、文字又は記号を入力する電話用の操作キーを一列に配置したキーボード部と、
前記キーボード部に沿って、その近傍に設けられた電話用の表示を行う表示部と、
を有することを特徴とするペン型携帯用電話機。
【請求項２】
電源を供給する電池が内蔵される電源格納部と、オンフック及びオフフックを行うスイッチ部と、電話用の表示を行う表示部とを筒状の筐体に備え、
数字、文字、若しくは記号を入力する電話用の操作キーを表面に配置したキーボード用筐体又は先端に筆記部材を装着した筆記用具用筐体を前記筒状の筐体の先端に選択的に取り付けるように構成したことを特徴とするペン型携帯用電話機。
【請求項３】
オンフック及びオフフックを行うスイッチ部と、電話用の表示を行う表示部とを筒状の筐体に備え、
数字、文字又は記号を入力する電話用の操作キーを表面に配置し、電源を供給する電池が内蔵される電源格納部を備えたキーボード用筐体、又は、先端に筆記部材を装着し、電源を供給する電池が内蔵される電源格納部を備えた筆記用具用筐体を前記筒状の筐体の先端に選択的に取り付けるように構成したことを特徴とするペン型携帯用電話機。
【請求項４】
先端に筆記部材を備えた第一の筐体と、
前記第一の筐体と接続された第二の筐体と、
数字、文字又は記号を入力する電話用の操作キーを表面に配置し、前記第一の筐体と前記第二の筐体との間に挟まれ、前記第一の筐体及び前記第二の筐体の一方又は両方を摺動自在としたキーボード部とが一体的に設けられ、
オンフック及びオフフックを行うスイッチ部と、電話用の表示を行う表示部とを前記第一の筐体又は前記第二の筐体に設け、
前記第一の筐体及び前記第二の筐体の一方又は両方の摺動操作により、前記キーボード部の操作キーを見せたり隠したりできるように構成したことを特徴とするペン型携帯用電話機。
【請求項５】
通話相手からの音声を出力する放音部と、前記通話相手に送る音声を入力するマイク部とを互いに異なる筐体に設けたことを特徴とする請求項４に記載のペン型携帯用電話機。
【請求項６】
筒状の筐体の一端に設けられ、先端に筆記部材を備えたペン先部と、
前記筒状の筐体の前記ペン先部側に設けられ、筆記用具として使用するときに使用者によって持たれるグリップ部と、
前記筒状の筐体の前記ペン先部及び前記グリップ部を除いた表面長手方向に設けられた、電話用の表示を行う表示部と、
数字、文字又は記号を音声にて入力するマイク部と、
前記マイク部より入力された音声を認識して前記数字、文字又は記号の情報を取得する音声認識部と、
オンフック及びオフフックを行うスイッチ部と、
を有することを特徴とするペン型携帯用電話機。
【請求項７】
筒状の筐体の一端に設けられ、先端に筆記部材を備えたペン先部と、
前記筒状の筐体の前記ペン先部側に設けられ、筆記用具として使用するときに使用者によって持たれるグリップ部と、
前記筒状の筐体の前記ペン先部及び前記グリップ部を除いた表面長手方向に並べられ、各々が０〜９の数字を有して基準位置に合わせられた数字を入力するための複数の回転式ダイヤルと、
を有することを特徴とするペン型携帯用電話機。
【発明の詳細な説明】
【技術分野】
【０００１】
本発明は、無線基地局と移動体間を双方向で無線通信するペン型携帯用電話機に関するものである。
【背景技術】
【０００２】
従来、携帯用電話機は小型化されており、小型化の一つの形態としてペン型の携帯電話機が考えられている（例えば特許文献１など）。図７は、この特許文献１に記載のペン型携帯用電話機の構成を示す図である。このペン型携帯用電話機は、アンテナを兼ねたクリップ３３、マイク３２、イヤホン２８を備えた筐体上部２９と電池パック用の筐体下部３０とから成り、筐体上部２９の側面にはテンキー３１が配置されている構成となっている。
【特許文献１】特開平４−４００４６号公報
【０００３】
ところで、特許文献１に記載のペン型携帯用電話機の側面には電話番号を入力するためのテンキー３１しか配置されていないが、近年の携帯用電話機では液晶などによる表示部が必須となっている。しかしながら、ペン型携帯用電話機の表面の面積には限りがあるため、表示を見やすくするために表示部を大きくすると、キーボードを配置できなくなってしまう。そこで、通常テンキー等のキーボードで行う操作をダイヤル状の入力手段によって行うことが考えられている（例えば特許文献２など）。
【特許文献２】特開平１０−２２４４４１号公報
【０００４】
図８は、この特許文献２に記載のペン型携帯用電話機の構成を示す図である。このペン型携帯用電話機は、円筒状の上部筐体２３、筐体下部の電池２４、上部筐体２３に取り付けられたクリップ部２６、クリップ部２６の上端に設けられたイヤホンマイク・ジャックなどの入出力の接続端子２５、上部筐体２３の側面に設けられた表示用ＬＣＤ（液晶表示装置）２７から本体が構成されている。更に、着信を表示する呼出用ＬＥＤ２１を回転軸の中心に備えたダイヤル状の入力部２２が上部筐体２３の上部に備えられている。そして、電話番号や文字などの入力をダイヤル状の入力部２２によって行うものである。
【０００５】
ところで、前述したペン型携帯用電話機はその形状がペン型というだけであり、実際にボールペンやシャープペン等の筆記用具としての機能を持ってはいなかった。ペン型携帯用電話機に筆記用具としての機能を持たせるため、ペン型携帯用電話機の先端に設けた充電用蓄電池の代わりに別部品として作成されたボールペンを接続する技術が存在している（例えば特許文献３）。
【特許文献３】実開平６−６２６５７号公報
【０００６】
図９は、この特許文献３に記載のペン型携帯用電話機の構成を示す図である。このペン型携帯用電話機は、円筒筐体４１、円筒筐体４１の上部に取り付けられたロットアンテナ４２、円筒筐体４１の側面に設けられたスピーカー４３、電源スイッチ４４、表示部４５、開閉可能な蓋４６から成り、円筒筐体４１の側面の蓋４６によって覆われる部分には操作キー４７が設けられている。そして、円筒筐体４６の下方には脱着部４８があり、ここで充電用蓄電池４９が脱着される。また、充電用蓄電池４９の側面にはマイク５０が配置されている。なお、充電用蓄電池４９の代わりにボールペン本体５１を取り付けることにより、ペン型携帯用電話機は筆記用具としての機能を持つことになる。
【０００７】
前述した特許文献１に記載の技術によれば、筐体上部２９にはテンキー３１が大きく配置されており、操作しやすくなっているものの、表示部が設けられていないので、テンキー３１によって操作した内容を確認することができないという問題があった。
【０００８】
また、前述した特許文献２に記載の技術によれば、上部筐体２３の側面に表示部２７が大きく配置されており、操作した内容が見やすくなっている。しかしながら、キーボードが設けられていないので操作が困難となり不便になってしまうという問題があった。すなわち、キーボードの代わりに設けたダイヤル状の入力部２２は、ペン型携帯用電話機に登録されている電話番号の中から所望の電話番号を選択して発信したり、リダイヤルする電話番号を選択して発信したりするのには非常に便利である。しかしながら、電話番号を直接入力して発信する場合や、ペン型携帯用電話機の電話帳に文字列などを入力して登録を行う場合には、操作方法を熟知していない限りその入力が非常に困難となり不便であった。
【０００９】
更に、特許文献３に記載の技術は、操作キー４７を大きく配置しているため表示部４５が小さくなってしまい、操作した内容が見辛くなってしまうという問題があった。また、充電用蓄電池５０の代わりにボールペン５１を接続するため、ペン型携帯用電話機を筆記用具として使用しているときには電源を入れることができず、オンフック／オフフックもできないため、発信や着信を行うことができないという問題があった。
【発明の開示】
【発明が解決しようとする課題】
【００１０】
本発明は、前述した問題を解決するために成されたものであり、入力した電話番号等を確認しながら操作を行うことができ、入力操作自体も行いやすくすることができるようにすることを目的とする。また、ペン型携帯用電話機を筆記用具としても使用することができ、筆記用具として使用しているときでも携帯電話としての機能を損なうことがないようにすることを目的とする。
【課題を解決するための手段】
【００１１】
前述した課題を解決するために、本発明では、筒状の筐体のペン先部とグリップ部とを除いた表面長手方向に電話用の操作キーを一列に配置したキーボード部を設け、このキーボード部近傍に沿って電話用の表示部を設けている。
【００１２】
また、本発明の他の態様では、電源を供給する電池が内蔵される電源格納部と、オンフック及びオフフックを行うスイッチ部と、電話用の表示部とを備えた筒状の筐体の先端に、電話用の操作キーを備えたキーボード用筐体又は先端に筆記部材を装着した筆記用具用筐体を選択的に取り付けている。別の態様では、電源格納部をキーボード用筐体と筆記用具用筐体との両方に設けている。
【００１３】
本発明の他の態様では、先端に筆記部材を備えた第一の筐体と、第一の筐体に接続された第二の筐体と、第一の筐体と第二の筐体との間に挟まれ、一方又は両方の筐体を摺動自在とするキーボード部とを一体的に設け、オンフック及びオフフックを行うスイッチ部と、電話用の表示を行う表示部とをいずれかの筐体に設けて、筐体の摺動操作により、キーボード部を見せたり隠したりするように構成している。
【００１４】
本発明の他の態様では、筒状の筐体のペン先部とグリップ部とを除いた表面長手方向に表示部を設け、数字、文字又は記号をマイク部から音声にて入力し、入力された音声を認識して数字、文字又は記号の情報を取得するようにしている。また、オンフックやオフフックのためにスイッチ部を設け、音声入力（音声認識）と操作スイッチとの組み合わせで電話をかけるようにしている。
【００１５】
本発明の他の態様では、筒状の筐体のペン先部とグリップ部とを除いた表面長手方向に、各々が０〜９の数字を有する複数の回転式ダイヤルを並べて配置し、各ダイヤルで基準位置に合わせられた数字列を発信電話番号として入力するようにしている。
【発明の効果】
【００１６】
上記のように構成したペン型携帯用電話機は、筒状の筐体の表面長手方向に電話用の操作キーを一列に配置したキーボード部と、キーボード部に沿って電話用の表示部とを設けたので、操作キー及び表示部を大きくすることができ、表示部が見やすくなり、操作がしやすくなると共に、表示部を見ながら操作キーを操作することができる。
【００１７】
また、筒状の筐体に対して、キーボード用筐体と筆記用具用筐体とを選択的に取り付けるように構成したので、キーボード用筐体を大きくすることで操作キーを大きくすることができる。更に、筒状の筐体に操作キーが存在しないので、表示部を大きくすることができる。従って、表示部が見やすくなり、操作がしやすくなる。更にまた、電源格納部を筒状の筐体に設け、キーボード用筐体と別にオンフック及びオフフックを行うスイッチ部を設けたので、キーボード用筐体の代わりに筆記用具用筐体を取り付けたときでも携帯用電話機の機能を使うことができる。
【００１８】
また、筒状の筐体に対して、キーボード用筐体と筆記用具用筐体とを選択的に取り付けるように構成し、その両方に電源格納部を設けたので、どちらの筐体を取り付けたときでも携帯用電話機としての機能を使うことができる。
【００１９】
また、第一の筐体と第二の筐体との間に挟まれたキーボード部を、摺動する筐体内に格納するように構成したので、摺動の幅に応じて操作キーを大きくすることができると共に、操作キーが筐体の表面に存在しないので表面の表示部を大きくすることができ、表示部が見やすくなり、操作がしやすくなる。そして、キーボード部と別にオンフック及びオフフックを行うスイッチ部を設けたので、キーボード部を隠したときでも携帯用電話機としての機能を使うことができる。
【００２０】
また、数字、文字又は記号をマイク部から音声にて入力するようにした場合は、キーボード部を不要とすることができるので、表面の表示部を大きくすることができ、表示部が見やすくなる。
【００２１】
また、筒状の筐体のペン先部とグリップ部とを除いた表面長手方向に、各々が０〜９の数字を有する複数の回転式ダイヤルを並べて配置した場合は、回転式ダイヤルで合わせた数字列がそのまま電話番号の表示となり、表示部は不要とするか、あっても必要最小限の情報を表示するために小型化することができる。このため、回転式ダイヤルのために大きなスペースを確保することができ、操作を行いやすくすることができる。また、回転式ダイヤルを大きくすることで、その数字を見やすくすることもできる。
【発明を実施するための最良の形態】
【００２２】
（第1の実施形態）
以下、本発明の第１の実施形態を図面に基づいて説明する。図１は、第１の実施形態によるペン型携帯用電話機の外観構成例を示す図である。図1において、１は筒状の筐体、１ａは筒状の筐体１の先端側に設けられ、使用者が本体を持つためのグリップ部、１ｂは先端に筆記部材１７を取り付けたペン先部である。２はオンフックやオフフック、リダイヤルなどの操作に使用されるダイヤル状のスイッチ部、３は着信電話番号や発信電話番号などの電話用の情報を表示するための表示部、４は通話音声を出力する放音部（以下スピーカー部という）、５は使用者の音声を入力するマイク部、９は電話番号などの数字や着信者名などの文字列、記号の入力に使用する操作キーを一列に配置したキーボード部である。
【００２３】
図１に示すように、本実施形態のペン型携帯用電話機は、筒状の筐体１と、筒状の筐体１の先端に設けたグリップ部１ａと、グリップ部１ａよりも更に先端に設けた先細り形状のペン先部１ｂとによってペン型の筐体を構成している。また、筒状の筐体１の他端にはダイヤル状のスイッチ部２が取り付けられている。なお、本実施形態では、グリップ部１ａ及びペン先部１ｂは筒状の筐体１と一体となっているが、別体であっても良い。
【００２４】
そして、筒状の筐体１の表面には、表示部３、スピーカー部４、キーボード部９を取り付けるための開口部が設けられている。また、グリップ部１ａには、マイク部５を取り付けるための開口部が設けられている。更に、ペン先部１ｂの先端にはシャープペンやボールペン等の筆記部材１７が取り付けられている。
【００２５】
筒状の筐体１の内部には、ペン型携帯用電話機に電源を供給するための図示しない電池又は充電用蓄電池を内蔵する電源格納部が設けられている。また、筒状の筐体１には携帯用電話としての機能を実現するための回路などが内蔵されている。なお、図示しないアンテナは筒状の筐体１に内蔵されていても筒状の筐体１の外部に設置されていても良い。
【００２６】
キーボード部９の操作キーは、本実施形態のペン型携帯用電話機を筆記用具として使用する場合において、使用者が筒状の筐体1を持つときに指が当たるグリップ部１ａを除いた位置に一列に配置されている。そして、表示部３はキーボード部９の近傍に配置されており、一列に配置された操作キーに沿うように大きく配置されている。
【００２７】
次に、前述したペン型携帯用電話機の使用例を説明する。本実施形態のペン型携帯用電話機を筆記用具として使用する場合において、キーボード部９は、使用者の指が当たらないようにグリップ部１ａを避けて配置されているので、操作キーを誤って押してしまうことがほとんどない。このようにペン型携帯用電話機を筆記用具として使用しているときでも、ペン型携帯用電話機の電源をオンにしておけば待ち受け状態となるから、着信が可能である。
【００２８】
この状態で着信したとき、筒状の筐体１に設けたスピーカー部４やスピーカー部４以外に設けた図示しない着信音発信部からの着信音の出力、表示部３や表示部３以外に設けた図示しない着信表示部（ＬＥＤ等）の表示の変化、筒状の筐体１に内蔵した図示しない振動手段による振動などにより着信の報知動作が行われる。このとき、スイッチ部２を例えばペン先方向に押下したり、キーボード部９に設けた図示しないオンフックボタンを押下したりすることでオンフックを行う。これによって、スピーカー部４により通話相手からの音声を聞き、マイク部５により通話相手に音声を送ることができるようになる。
【００２９】
一方、本実施形態のペン型携帯用電話機を発信可能な電話機として使用する場合、キーボード部９の操作キーを使用することで、電話番号を直接入力して発信を行うことが可能である。また、筒状の筐体１の内部に設けられたメモリ等の記憶手段（図示しない）に電話帳として電話番号や名前などを登録する際に、数字、文字、記号などの入力をキーボード部９の操作キーによって行うことが可能となる。このとき、キーボード部９の操作キーは筒状の筐体１上に一列に並んでおり、筒状の筐体１の裏側には操作キーが配置されていないので、ある指で操作キーを操作するときに、筒状の筐体１の裏側を他の指で支えることができる。従って、使用者は操作キーを誤って操作することなく、確実に操作することができる。
【００３０】
以上、詳しく説明したように、本実施形態のペン型携帯用電話機は、筒状の筐体１の先端に、筆記部材１７を備えたペン先部１ｂを設けたので、携帯用電話機としてだけでなく、筆記用具としても使用できる。また、操作キーを一列に配置しているので、各操作キーの表面積を大きくとることができ、操作キーが見やすくなると共に、使用者が操作キーの操作を容易に行うことができる。更に、操作キーを一列に配置しているので、表示部３のために大きなスペースを確保することができ、表示部３を大きくすることで表示内容を見やすくすることができる。更にまた、表示部３をキーボード部９の近傍に沿って配置しているので、表示部３を見ながら操作キーの操作をすることができる。
【００３１】
（第２の実施形態）
次に、本発明に係るペン型携帯用電話機の第２の実施形態を図面に基づいて説明する。図２は、第２の実施形態によるペン型携帯用電話機の外観構成例を示す図である。図２において、１は筒状の筐体、２はオンフックやオフフック、リダイヤルなどの操作に使用されるダイヤル状のスイッチ部、３は着信電話番号や発信電話番号などの情報を表示するための表示部、４は通話音声を出力するスピーカー部、５は使用者の音声を入力するマイク部、６は電話番号などの数字や着信者名などの文字列、記号の入力に使用する操作キーを側面に配置したキーボード用筐体、７は先端にシャープペンやボールペンなどの筆記部材１７を具備した筆記用具用筐体、８は電池又は充電用蓄電池などの電源を内蔵する電源格納部である。
【００３２】
図２に示すように、本実施形態のペン型携帯用電話機は、筒状の筐体１の表面に、表示部３、スピーカー部４、マイク部５を取り付けるための開口部が設けられている。また、筒状の筐体１の端部にはダイヤル状のスイッチ部２が設けられている。更に、筒状の筐体１の内部には、ペン型携帯用電話機に電源を供給するための図示しない電池又は充電用蓄電池を内蔵する電源格納部８が設けられている。更にまた、筒状の筐体１には携帯用電話としての機能を実現するための回路などが内蔵されている。なお、図示しないアンテナは筒状の筐体１に内蔵されていても筒状の筐体１の外部に設置されていても良い。
【００３３】
このようなペン型携帯用電話機の筒状の筐体１の先端部分（ダイヤル状のスイッチ部２の反対側）には、キーボード用筐体６が着脱自在に取り付けられている。このキーボード用筐体６と筒状の筐体１との接続は、双方に設けたコネクタを介して物理的に接続するような方法や、無線信号を介して非接触で電気的に接続する方法など様々な方法が考えられる。
【００３４】
なお、本実施形態のペン型携帯用電話機は、キーボード用筐体６を外した状態でも、携帯用電話機としての動作が可能である。そして、キーボード用筐体６は別途用意した筆記用具用筐体７と差し替え交換が可能である。筆記用具用筐体７の先端部分の筆記部材１７としては、ボールペンやシャープペン、鉛筆、万年筆などが適用でき、本実施形態のペン型携帯用電話機を様々な筆記用具として使用可能である。
【００３５】
次に、前述したペン型携帯用電話機の使用例を説明する。本実施形態のペン型携帯用電話機を筆記用具として使用する場合において、筒状の筐体１の先端部分には筆記用具用筐体７を装着する。このとき、ペン型携帯用電話機の電源をオンにしておけば待ち受け状態となるから、着信が可能である。
【００３６】
この状態で着信したとき、筒状の筐体１に設けたスピーカー部４やスピーカー部４以外に設けた図示しない着信音発信部からの着信音の出力、表示部３や表示部３以外に設けた図示しない着信表示部（ＬＥＤ等）の表示の変化、筒状の筐体１に内蔵した図示しない振動手段による振動などにより着信の報知動作が行われる。このとき、スイッチ部２を例えばペン先方向に押下することでオンフックを行う。これによって、スピーカー部４により通話相手からの音声を聞き、マイク部５により通話相手に音声を送ることができるようになる。
【００３７】
一方、本実施形態によるペン型携帯用電話機を発信可能な電話機として使用する場合、筒状の筐体１の先端部分にはキーボード用筐体６を装着する。このとき、このキーボード用筐体６の操作キーを使用することで、電話番号を直接入力して発信を行うことが可能である。また、筒状の筐体１に設けられたメモリ等の記憶手段（図示しない）に電話帳として電話番号や名前などを登録する際に、数字、文字、記号などの入力をキーボード用筐体６の操作キーによって行うことが可能となる。
【００３８】
なお、筒状の筐体１の先端部分に筆記用具用筐体７を装着した状態でも、例えばスイッチ部２のダイヤルを回転することによって、電話帳に登録された電話番号やリダイヤルの電話番号、着信履歴として登録された電話番号などに発信することが可能となる。
【００３９】
以上、詳しく説明したように、本実施形態のペン型携帯用電話機は、筒状の筐体１の先端部分にキーボード用筐体６と筆記用具用筐体７とを選択的に取り付ける構成としたので、携帯用電話機としてだけでなく、筆記用具としても使用できる。また、着脱自在としたキーボード用筐体６を比較的大きく構成することにより、各操作キーの表面積を大きくとることができ、操作キーの表示が見やすくなると共に、使用者が操作キーの操作を容易に行うことができる。更に、キーボード用筐体６を筒状の筐体１と別体としたので、筒状の筐体１に表示部３のために大きなスペースを確保することができ、表示部３を大きくすることで表示内容を見やすくすることができる。更にまた、筆記用具として使用しているときには、キーボード用筐体６を取り外しているので、誤ってキーボード部６を操作してしまうことがない。また、筆記用具として使用しているときに、キーボード部６を取り外しても、ダイヤル状のスイッチ部２があるので、オンフックやオフフックなどの携帯用電話機としての主要な操作が可能となる。
【００４０】
なお、前述した図２の例では、電源を供給する電池を、筒状の筐体１に設けた電源格納部８に内蔵していたが、図３に示すように、キーボード用筐体６に電源格納部８ａを、筆記用具用筐体７に電源格納部８ｂをそれぞれ設けて、電源格納部８ａ，８ｂに電池を内蔵するように構成しても良い。このように構成することにより、筒状の筐体１にキーボード用筐体６を装着している状態でも、筆記用具用筐体７を装着している状態でも、筒状の筐体１の内部回路に電源を供給することができ、ペン型携帯用電話機を携帯電話として使用することができる。また、キーボード用筐体６と筆記用具用筐体７との両方に電池を内蔵し、これらを交換しながら使用できるので、電池を交換或いは充電するまでの時間を長くすることができる。また、電源格納部８ａ，８ｂに内蔵する電池として充電用蓄電池を用いる場合には、筆記用具用筐体７又はキーボード用筐体６の一方を筒状の筐体１に装着しているときに、他方を別途設けた充電器によって充電することができる。
【００４１】
（第３の実施形態）
次に、本発明の第３の実施形態を図面に基づいて説明する。図４は、第３の実施形態によるペン型携帯用電話機の外観構成例を示す図である。図４において、１０は第一の筐体、１０ａは第一の筐体の先端に設けられ、先端に向かって先細り形状となっているペン先部、１１は第二の筐体、１２はオンフックやオフフック、リダイヤルなどの操作に使用されるダイヤル状のスイッチ部、１３は着信電話番号や発信電話番号などの電話用の情報を表示するための表示部、１４は通話音声を出力するスピーカー部、１５は使用者の音声を入力するマイク部、１６は電話番号などの数字や着信者名などの文字列、記号の入力に使用する操作キーを側面に配置したキーボード部、１７はペン先部１０ａの先端に取り付けられたボールペンやシャープペンなどの筆記部材である。
【００４２】
図４に示すように、本実施形態のペン型携帯用電話機では、第一の筐体１０は筒状であり、その先端部分にペン先部１０ａが設けられている。更にその先端部分には、筆記部材１７としてボールペンやシャープペン、鉛筆、万年筆などが適用可能である。また、第一の筐体１０の表面には開口部が設けられており、マイク部１５が一体的に取り付けられている。一方、第二の筐体１１も筒状であり、その端部にはダイヤル状のスイッチ部１２が設けられている。また、第二の筐体１１の表面には開口部が設けられており、表示部１３、スピーカー部１４が一体的に取り付けられている。
【００４３】
また、ペン型携帯用電話機に電源を供給するための電池又は充電用蓄電池を内蔵する電源格納部（図示しない）が第一の筐体１０又は第二の筐体１１の内部に設けられている。更に、第一の筐体１０、第二の筐体１１の何れか一方又は両方には携帯用電話としての機能を実現するための回路などが内蔵されている。なお、図示しないアンテナは第一の筐体１０や第二の筐体１１に内蔵されていても、その外部に設置されていても良い。
【００４４】
第二の筐体１１の端部（ダイヤル状のスイッチ部１２の反対側）には、キーボード部１６が設けられている。このキーボード部１６の側面には、第一の筐体１０が矢印Aの方向に摺動して移動することができるようにレール（図示しない）が設けられている。このように第一の筐体１０が摺動することにより、第一の筐体１０の内部にキーボード部１６を格納したり、第一の筐体１０の内部からキーボード部１６を引き出したりすることが可能である。
【００４５】
図４（ａ）は、キーボード部１６を第一の筐体１０の内部から引き出した状態を示す図であり、図４（ｂ）は、キーボード部１６を第一の筐体１０の内部に格納した状態を示す図である。また、第一の筐体１０の摺動する量を任意の量とすることで、使用者が携帯用電話として使いやすいように、第二の筐体１１に設けたスピーカー部１４と第一の筐体１０に設けたマイク部１５との距離を調整することができる。
【００４６】
次に、前述したペン型携帯用電話機の使用例を説明する。本実施形態のペン型携帯用電話機を筆記用具として使用する場合には、図４（ｂ）に示すように、キーボード部１６を第一の筐体１０で隠した状態で使用する。このとき、本体の電源をオンにしておけば、ペン型携帯用電話機は待ち受け状態であるから着信が可能である。
【００４７】
この状態で着信したとき、第二の筐体１１に設けたスピーカー部１４やスピーカー部１４以外に設けた着信音発信部（図示しない）からの着信音の出力、表示部１３や表示部１３以外に設けた着信表示部（ＬＥＤ等）の表示の変化、第一の筐体１０や第二の筐体１１に内蔵した振動手段（図示しない）による振動などにより着信の報知が行われる。このとき、スイッチ部１２を例えばペン先方向に押下することでオンフックを行う。これによって、スピーカー部１４により通話相手からの音声を聞き、マイク部１５により通話相手に音声を送ることができるようになる。
【００４８】
一方、本実施形態によるペン型携帯用電話機を発信可能な電話機として使用する場合、第一の筐体１０を摺動させてキーボード部１６を出現させる。そして、キーボード部１６の操作キーを使用することで、電話番号を直接入力して発信を行うことが可能である。また、ペン型携帯用電話機の本体に設けられたメモリ等の記憶手段（図示しない）に電話帳として電話番号や名前などを登録する際に、数字、文字、記号などの入力をキーボード部１６の操作キーによって行うことが可能となる。
【００４９】
なお、第一の筐体１０によってキーボード部１６が隠された状態でも、例えばスイッチ部１２のダイヤルを回転することによって、電話帳に登録された電話番号やリダイヤルの電話番号、着信履歴として登録された電話番号などに発信することは可能である。
【００５０】
なお、前述した図４の例では、キーボード部１６を隠すために第一の筐体１０を使用していたが、キーボード部１６を第一の筐体１０に固定して、第二の筐体１１を摺動させ、第二の筐体１１の内部に設けた空洞部にキーボード部１６を格納するようにしても良い。更に、第一の筐体１０と第二の筐体１１との双方を摺動させて、キーボード１６を内部に格納したり、引き出したりすることができるようにしても良い。
【００５１】
以上、詳しく説明したように、本実施形態のペン型携帯用電話機は、筒状の第一の筐体１０の先端に、筆記部材１７を備えたペン先部１０ａを設けたので、携帯用電話機としてだけでなく、筆記用具としても使用できる。また、第一の筐体１０や第二の筐体１１の摺動幅を大きくすることで、キーボード部１６を大きくすることができ、操作キーの表示が見やすくなると共に、使用者が操作キーの操作を容易に行うことができる。更に、第二の筐体１１の表面に操作キーを配置していないので、表示部３のために大きなスペースを確保することができ、表示部３を大きくすることで表示内容を見やすくすることができる。更にまた、キーボード１６を第一の筐体１０や第二の筐体１１に格納可能としたので、筆記用具として使用しているときに、誤ってキーボード部１６の操作キーを操作してしまうことがない。また、キーボード部１６が格納された状態でもダイヤル状のスイッチ部１２を別に設けたので、筆記用具として使用しているときでも、オンフックやオフフック等の携帯用電話機としての主要な操作が可能となる。
【００５２】
（第４の実施形態）
以下、本発明の第４の実施形態を図面に基づいて説明する。図５は、第４の実施形態によるペン型携帯用電話機の外観構成例を示す図である。この図５において、図１に示した符号と同一の符号を付したものは同一の機能を有するものであるので、ここでは重複する説明を省略する。
【００５３】
本実施形態においては、電話番号などの数字の入力に使用する操作キーは設けられていない。電話番号などの数字は、マイク部５から音声にて入力する。筒状の筐体１の内部には、ペン型携帯用電話機に電源を供給するための図示しない電池又は充電用蓄電池を内蔵する電源格納部や、携帯用電話としての機能を実現するための回路が設けられている。この回路には、マイク部５から入力した音声の内容を認識し、対応する数字の列を発信電話番号として設定するための回路も含まれている。
【００５４】
次に、前述したペン型携帯用電話機の使用例を説明する。本実施形態のペン型携帯用電話機を筆記用具として使用する場合において、筐体１にはキーボード部が設けられていないので、操作キーを誤って押してしまうことが全くない。このようにペン型携帯用電話機を筆記用具として使用しているときでも、ペン型携帯用電話機の電源をオンにしておけば待ち受け状態となるから、着信が可能である。
【００５５】
この状態で着信したとき、筒状の筐体１に設けたスピーカー部４やスピーカー部４以外に設けた図示しない着信音発信部からの着信音の出力、表示部３や表示部３以外に設けた図示しない着信表示部（ＬＥＤ等）の表示の変化、筒状の筐体１に内蔵した図示しない振動手段による振動などにより着信の報知動作が行われる。このとき、スイッチ部２を例えばペン先方向に押下したり、筐体１に設けた図示しないオンフックボタンを押下したりすることでオンフックを行う。これによって、スピーカー部４により通話相手からの音声を聞き、マイク部５により通話相手に音声を送ることができるようになる。
【００５６】
一方、本実施形態のペン型携帯用電話機を発信可能な電話機として使用する場合、マイク部５から電話番号を音声にて入力した後、スイッチ部２を例えばペン先方向に押下することによって発信を行うことが可能である。このとき、入力した音声が内部回路で認識され、認識された電話番号の情報が表示部３に表示される。
【００５７】
以上、詳しく説明したように、第４の実施形態によるペン型携帯用電話機は、筒状の筐体１の先端に、筆記部材１７を備えたペン先部１ｂを設けたので、携帯用電話機としてだけでなく、筆記用具としても使用できる。また、電話番号などの入力をマイク部５から音声にて行い、音声認識によって情報のセットを行うようにしているので、操作キーが不要となり、表示部３のために大きなスペースを確保することができ、表示部３を大きくすることで表示内容を見やすくすることができる。
【００５８】
なお、ここではマイク部５から電話番号の数字を入力する例について説明したが、これに限定されない。例えば、筒状の筐体１の内部に設けられたメモリ等の記憶手段（図示しない）に電話帳として電話番号や名前などを登録する際に、数字、文字、記号などの入力もマイク部５からの音声入力によって行うことが可能である。また、入力した内容を訂正したり、発信や着信の操作を行ったりする際に、所定の命令コマンドをマイク部５から入力し、その入力音声を認識してコマンドを実行するようにすることも可能である。
【００５９】
（第５の実施形態）
以下、本発明の第５の実施形態を図面に基づいて説明する。図６は、第５の実施形態によるペン型携帯用電話機の外観構成例を示す図である。この図６において、図１に示した符号と同一の符号を付したものは同一の機能を有するものであるので、ここでは重複する説明を省略する。
【００６０】
本実施形態においては、発信電話番号などの電話用の情報を表示するための表示部は設けられていない。また、電話番号などの数字の入力に使用する操作キーも設けられていない。操作キーの代わりに複数の回転式ダイヤル１８が設けられている。電話番号などの数字は、複数の回転式ダイヤル１８を操作することによって入力する。
【００６１】
回転式ダイヤル１８は、例えば１０桁の電話番号に合わせて１０個設けられ、それらが筒状の筐体１の長手方向に並べられている。各々のダイヤルは０〜９の数字を有しており、各ダイヤルの数字を基準位置１９に合わせることにより、基準位置１９に合わせられた１０個の数字の並びを電話番号として入力することができるようにしている。
【００６２】
次に、前述したペン型携帯用電話機の使用例を説明する。本実施形態のペン型携帯用電話機を筆記用具として使用する場合において、回転式ダイヤル１８は、使用者の指が当たらないようにグリップ部１ａを避けて配置されているので、回転式ダイヤル１８を誤って操作してしまうことがほとんどない。このようにペン型携帯用電話機を筆記用具として使用しているときでも、ペン型携帯用電話機の電源をオンにしておけば待ち受け状態となるから、着信が可能である。
【００６３】
この状態で着信したとき、筒状の筐体１に設けたスピーカー部４やスピーカー部４以外に設けた図示しない着信音発信部からの着信音の出力、表示部３や表示部３以外に設けた図示しない着信表示部（ＬＥＤ等）の表示の変化、筒状の筐体１に内蔵した図示しない振動手段による振動などにより着信の報知動作が行われる。このとき、スイッチ部２を例えばペン先方向に押下したり、筐体１に設けた図示しないオンフックボタンを押下したりすることでオンフックを行う。これによって、スピーカー部４により通話相手からの音声を聞き、マイク部５により通話相手に音声を送ることができるようになる。
【００６４】
一方、本実施形態のペン型携帯用電話機を発信可能な電話機として使用する場合、回転式ダイヤル１８を使用することで、電話番号を直接入力して発信を行うことが可能である。また、１０個の回転式ダイヤル１８をあらかじめ所望の数字に合わせておけば、スイッチ部２のオンフック操作だけで電話をかけることができる。つまり、１０個の回転式ダイヤル１８で合わせた数字列から成る電話番号を短縮ダイヤルとして利用することができる。
【００６５】
以上、詳しく説明したように、本実施形態のペン型携帯用電話機は、筒状の筐体１の先端に、筆記部材１７を備えたペン先部１ｂを設けたので、携帯用電話機としてだけでなく、筆記用具としても使用できる。また、１０桁の電話番号に合わせて１０個の回転式ダイヤル１８を設けているので、回転式ダイヤル１８で合わせた数字列がそのまま電話番号の表示となり、表示部は不要とするか、あっても必要最小限の情報を表示するために小型化することができる。このため、回転式ダイヤル１８のために大きなスペースを確保することができ、操作を行いやすくすることができる。また、回転式ダイヤル１８を大きくすることで、その数字を見やすくすることもできる。
【００６６】
以上、本発明を実施するにあたっての具体化の例を示したが、上記第１〜第５の実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００６７】
本発明は、実際に筆記用具として使用可能なペン型携帯用電話機に有用である。
【図面の簡単な説明】
【００６８】
【図１】第１の実施形態によるペン型携帯用電話機の構成例を示す図である。
【図２】第２の実施形態によるペン型携帯用電話機の構成例を示す図である。
【図３】第２の実施形態によるペン型携帯用電話機の変形例を示す図である。
【図４】第３の実施形態によるペン型携帯用電話機の構成例を示す図である。
【図５】第４の実施形態によるペン型携帯用電話機の構成例を示す図である。
【図６】第５の実施形態によるペン型携帯用電話機の構成例を示す図である。
【図７】従来のペン型携帯用電話機を示す図である。
【図８】ダイヤル状入力部を備えた従来のペン型携帯用電話機を示す図である。
【図９】先端部をボールペンと交換可能とした従来のペン型携帯用電話機を示す図である。
【符号の説明】
【００６９】
１    筒状の筐体
１ａ    グリップ部
１ｂ，１０ａ    ペン先部
２，１２    スイッチ部
３，１３    表示部
４，１４    スピーカー部
５，１５    マイク部
６    キーボード用筐体
７    筆記用具用筐体
８，８ａ，８ｂ    電源格納部
９，１６    キーボード部
１０    第一の筐体
１１    第二の筐体
１７    筆記部材
１８    回転式ダイヤル
【図１】
2005102149.tif 000003
【図２】
2005102149.tif 000004
【図３】
2005102149.tif 000005
【図４】
2005102149.tif 000006
【図５】
2005102149.tif 000007
【図６】
2005102149.tif 000008
【図７】
2005102149.tif 000009
【図８】
2005102149.tif 000010
【図９】
2005102149.tif 000011